(57)【要約】      （修正有）【課題】衣服用ハンガーの吊下部に他の衣服用ハンガーのフック部を吊下することができ、複数個の衣服用ハンガーを上下多段状に吊下配置して使用することができ、多数の衣服を上下に掛けることができ、収納スペースの有効利用を図ることができる衣服用ハンガーを提供する。【解決手段】基部材の上部にフック部材２を設けると共に基部材の左右両側部に左右一対の肩部材３を突設してなる衣服用ハンガーＦにおいて、肩部材を基部材の左右両側部から略水平に突出する使用位置と上方に突出する折畳位置との間でそれぞれ跳ね上げ回動自在に設け、基部材に他の衣服用ハンガーのフック部材を吊下可能な吊下部４を設けてなる。【選択図】図１
0003146397.tif 000002
【実用新案登録請求の範囲】
【請求項１】
基部材の上部にフック部材を設けると共に該基部材の左右両側部に左右一対の肩部材を突設してなる衣服用ハンガーにおいて、上記肩部材を上記基部材の左右両側部から略水平に突出する使用位置と上方に突出する折畳位置との間でそれぞれ跳ね上げ回動自在に設け、該基部材に他の衣服用ハンガーのフック部材を吊下可能な吊下部を設けてなることを特徴とする衣服用ハンガー。
【請求項２】
上記吊下部として、上記基部材の側面に左右一対の掛止部を突設し、該左右一対の掛止部間に吊下紐材を着脱自在に掛架してなることを特徴とする請求項１記載の衣服用ハンガー。
【請求項３】
上記掛止部は径小軸部及び径大頭部からなり、上記吊下紐材は可撓弾性を有する合成樹脂からなると共に該吊下紐材は紐部材の両端部にそれぞれ該掛止部の径大頭部を介して径小軸部に嵌合可能なリング部を設けてなることを特徴とする請求項２記載の衣服用ハンガー。
【考案の詳細な説明】
【技術分野】
【０００１】
本考案は例えば洋服の上衣を整理収納する際に用いられる衣服用ハンガーに関するものである。
【背景技術】
【０００２】
従来、この種の衣服用ハンガーとして、線材の折曲により形成され、基部材の上部にフック部材を設けると共に該基部材の左右両側部に左右一対の肩部材を突設してなる構造のものが知られている。
【特許文献１】実開昭６０−７７４７８号公報
【考案の開示】
【考案が解決しようとする課題】
【０００３】
しかしながら上記従来構造の場合、線材により製作されているから、比較的軽量な衣服に限られることがり、それだけ、用途の制約を受けることがあるという不都合を有している。
【課題を解決するための手段】
【０００４】
本考案はこのような不都合を解決することを目的とするもので、本考案のうちで、請求項１記載の考案は、基部材の上部にフック部材を設けると共に該基部材の左右両側部に左右一対の肩部材を突設してなる衣服用ハンガーにおいて、上記肩部材を上記基部材の左右両側部から略水平に突出する使用位置と上方に突出する折畳位置との間でそれぞれ跳ね上げ回動自在に設け、該基部材に他の衣服用ハンガーのフック部材を吊下可能な吊下部を設けてなることを特徴とする衣服用ハンガーにある。
【０００５】
又、請求項２記載の考案は、上記吊下部として、上記基部材の側面に左右一対の掛止部を突設し、該左右一対の掛止部間に吊下紐材を着脱自在に掛架してなることを特徴とするものであり、又、請求項３記載の考案は、上記掛止部は径小軸部及び径大頭部からなり、上記吊下紐材は可撓弾性を有する合成樹脂からなると共に該吊下紐材は紐部材の両端部にそれぞれ該掛止部の径大頭部を介して径小軸部に嵌合可能なリング部を設けてなることを特徴とするものである。
【考案の効果】
【０００６】
本考案は上述の如く、請求項１記載の考案にあっては、衣服用ハンガーの吊下部に他の衣服用ハンガーのフック部を吊下することができ、複数個の衣服用ハンガーを上下多段状に吊下配置して使用することができ、多数の衣服を上下に掛けることができ、収納スペースの有効利用を図ることができ、かつ、上記肩部材を上記基部材の左右両側部から略水平に突出する使用位置と上方に突出する折畳位置との間でそれぞれ跳ね上げ回動自在に設けているから、携行時や不使用時等において、上記肩部材を折畳位置に跳ね上げることができ、携行容易性を高めることができると共に保管スペースを小さくすることができる。
【０００７】
又、請求項２記載の考案にあっては、上記吊下部として、基部材の側面に左右一対の掛止部を突設し、左右一対の掛止部間に吊下紐材を着脱自在に掛架してなるから、左右一対の掛止部間に吊下紐材を掛架することにより容易に吊下部を形成することができ、又、請求項３記載の考案にあっては、上記掛止部は径小軸部及び径大頭部からなり、上記吊下紐材は可撓弾性を有する合成樹脂からなると共に吊下紐材は紐部材の両端部にそれぞれ掛止部の径大頭部を介して径小軸部に嵌合可能なリング部を設けているから、吊下紐材を上記掛止部間に確実に掛架することができると共に容易に着脱することができる。
【考案を実施するための最良の形態】
【０００８】
図１乃至図７は本考案の実施の形態例を示し、この衣服用ハンガーＦは、合成樹脂製の基部材１の上部に合成樹脂製のフック部材２を設けると共に基部材１の左右両側部に合成樹脂製の左右一対の肩部材３・３を突設して構成している。
【０００９】
そして、上記肩部材３・３は上記基部材１の左右両側部から略水平に突出する使用位置Ｓと上方に突出する折畳位置Ｔとの間でそれぞれ跳ね上げ回動自在に設けられている。
【００１０】
この場合、図２の如く、上記フック部材２はフック部２ａと軸部２ｂからなり、上記基部材１の上部に貫通穴１ａを形成し、貫通穴１ａに軸部２ｂを嵌合して回動自在に設けられている。
【００１１】
又、この場合、図１の如く、上記肩部材３・３は、先端板部３ａに上記フック部材２の逃げ空間Ｋを存して並列杆部３ｂ・３ｂを突設し、並列杆部３ｂ・３ｂの先端部内面に枢軸３ｃ・３ｃを突設し、かつ、並列杆部３ｂ・３ｂの先端部寄りにストッパ杆３ｄ・３ｄを架設してなり、上記基部材１の左右両側部に貫通横穴１ｂ・１ｂを形成すると共に左右両側部上面にストッパー部１ｃ・１ｃを形成して構成している。
【００１２】
しかして、上記枢軸３ｃ・３ｃと上記貫通横穴１ｂ・１ｂとの嵌合並びに上記ストッパ杆３ｄ・３ｄと上記ストッパー部１ｃ・１ｃとの当接及び上記フック部材２の逃げ空間Ｋにより、上記肩部材３・３を上記基部材１の左右両側部から略水平に突出する使用位置Ｓと上方に突出する折畳位置Ｔとの間でそれぞれ跳ね上げ回動自在に設けて構成している。
【００１３】
４は吊下部であって、この場合、図３、図６の如く、左右一対の掛止部４ａ・４ａと吊下紐材４ｂとからなり、上記基部材１の側面に左右一対の掛止部４ａ・４ａを突設し、この左右一対の掛止部４ａ・４ａ間に吊下紐材４ｂを着脱自在に掛架して構成されている。
【００１４】
この場合、図６の如く、上記掛止部４ａ・４ａは径小軸部Ｄ及び径大頭部Ｈからなり、上記吊下紐材４ｂは可撓弾性を有する合成樹脂からなると共に吊下紐材４ｂは紐部材４ｃの両端部にそれぞれ掛止部４ａの径大頭部Ｈを介して径小軸部Ｄに嵌合可能なリング部４ｄを設けて構成されている。
【００１５】
この実施の形態例は上記構成であるから、図７の如く、例えば、タンスの横桟Ｌに衣服用ハンガーＦを掛け、この衣服用ハンガーＦの吊下部４に他の衣服用ハンガーＦのフック部２ａを吊下することができ、複数個の衣服用ハンガーＦを上下多段状に吊下配置して使用することができ、多数の衣服を上下に掛けることができ、収納スペースの有効利用を図ることができ、かつ、図４の如く、上記肩部材３・３を上記基部材１の左右両側部から略水平に突出する使用位置Ｓと上方に突出する折畳位置Ｔとの間でそれぞれ跳ね上げ回動自在に設けているから、携行時や不使用時等において、上記肩部材３・３を折畳位置Ｔに跳ね上げることができ、携行容易性を高めることができると共に保管スペースを小さくすることができる。
【００１６】
この場合、上記吊下部４として、上記基部材１の側面に左右一対の掛止部４ａ・４ａを突設し、左右一対の掛止部４ａ・４ａ間に吊下紐材４ｂを着脱自在に掛架してなるから、左右一対の掛止部４ａ・４ａ間に吊下紐材４ｂを掛架することにより容易に吊下部４を形成することができ、又、この場合、上記掛止部４ａ・４ａは径小軸部Ｄ及び径大頭部Ｈからなり、上記吊下紐材４ｂは可撓弾性を有する合成樹脂からなると共に吊下紐材４ｂは紐部材４ｃの両端部にそれぞれ掛止部４ａの径大頭部Ｄを介して径小軸部Ｈに嵌合可能なリング部４ｄを設けているから、吊下紐材４ｂを上記掛止部４ａ・４ａ間に確実に掛架することができると共に容易に着脱することができる。
【００１７】
尚、本考案は上記実施の形態例に限られるものではなく、基部材１、フック部材２、肩部材３、吊下部４の大きさや形状、構造は適宜変更して設計されるものである。
【００１８】
以上の如く、所期の目的を充分達成することができる。
【図面の簡単な説明】
【００１９】
【図１】本考案の実施の形態例の全体斜視図である。
【図２】本考案の実施の形態例の部分断面図である。
【図３】本考案の実施の形態例の部分側断面図である。
【図４】本考案の実施の形態例の部分側面図である。
【図５】本考案の実施の形態例の使用状態の斜視図である。
【図６】本考案の実施の形態例の部分断面図である。
【図７】本考案の実施の形態例の使用状態図である。
【符号の説明】
【００２０】
Ｓ    使用位置
Ｆ    衣服用ハンガー
Ｔ    折畳位置
Ｄ    径小軸部
Ｈ    径大頭部
１    基部材
２    フック部材
３    肩部材
４    吊下部
４ａ    掛止部
４ｂ    吊下紐材
４ｃ    紐部材
４ｄ    リング部
【図１】
0003146397.tif 000003
【図２】
0003146397.tif 000004
【図３】
0003146397.tif 000005
【図４】
0003146397.tif 000006
【図５】
0003146397.tif 000007
【図６】
0003146397.tif 000008
【図７】
0003146397.tif 000009